(57)【要約】【課題】ペット自身でペット用歩行補助車の進行方向が簡単に変えられる、操作性能が良いペット用歩行補助車を造る。【解決の手段】犬猫等のペット用歩行補助車で、犬猫等のペットの胸部又は臀部を乗せる座を造り、座にベルトを固定するための穴を開け、座の下側に柱を取り付けて固定し、柱に軸を取り付けて固定し、軸に車輪を取り付け、ペットが前肢の間で胸部用のペット用歩行補助車に跨いで乗り、又はペットが後肢の間で臀部用のペット用歩行補助車に跨いで乗り、ペット用歩行補助車の座の穴にペットを固定するベルトを取り付け、ベルトでペット用歩行補助車の座とペットを固定し、ペット用歩行補助車を傾けてペットが速く走ってカーブを曲がれるようにした、以上のことを特徴とするペット用歩行補助車。【選択図】    図７
2004208669.tif 000002
【特許請求の範囲】
【請求項１】
犬猫等のペット用歩行補助車のうち胸部用のペット用歩行補助車で、犬猫等のペットの胸部を乗せる座Ａを造り、座ＡにベルトＶを固定するための穴Ｃを開け、穴ＣにベルトＶを取り付け、リードを取り付けるための輪ＷをベルトＶに取り付け、座Ａに桁Ｒを固定するための穴Ｄを開け、座Ａの下側に柱Ｋを取り付け、柱Ｋを上下に分割し、分割した上下の柱ＫをスプリングＬで繋いで固定し、座Ａの高さを調整するための複数個の穴Ｍを柱Ｋに開け、軸Ｎに穴を開けて、軸Ｎの穴と柱Ｋの穴Ｍとをボルト等で固定し、軸Ｎに一個の車輪Ｐを取り付け、又は軸Ｎに二個の車輪Ｐを取り付け、軸Ｎに取り付けた車輪Ｐが二個の時には、二個の車輪Ｐの間をわずかに上開きになるように取り付けて、ペット用歩行補助車の操作を良くし、軸Ｎから車輪Ｐが外れないように留め具Ｑを軸Ｎの端に取り付け、ペットが前肢の間で胸部用のペット用歩行補助車に跨いで乗り、ベルトＶを用いて座Ａにペットの胸部を固定した、以上のことを特徴とする胸部用のペット用歩行補助車。
【請求項２】
犬猫等のペット用歩行補助車のうち臀部用のペット用歩行補助車で、犬猫等のペットの臀部を乗せる座Ｂを造り、座ＢにベルトＶを固定するための穴Ｆを開け、穴ＦにベルトＶを取り付け、リードを取り付けるための輪ＷをベルトＶに取り付け、座Ｂに桁Ｒを固定するための穴Ｇを開け、犬猫等のペットが排尿するための溝Ｈを座Ｂに開け、座Ｂの下側に柱Ｋを取り付け、又は座Ｂの下側に取り付けたカバーＪの下側に柱Ｋを取り付け、柱Ｋを上下に分割し、分割した上下の柱ＫをスプリングＬで繋いで固定し、座Ｂの高さを調整するための複数個の穴Ｍを柱Ｋに開け、軸Ｎに穴を開けて、軸Ｎの穴と柱Ｋの穴Ｍとをボルト等で固定し、軸Ｎに一個の車輪Ｐを取り付け、又は軸Ｎに二個の車輪Ｐを取り付け、軸Ｎに取り付けた車輪Ｐが二個の時には、二個の車輪Ｐの間をわずかに上開きになるように取り付けて、ペット用歩行補助車の操作を良くし、軸Ｎから車輪Ｐが外れないように留め具Ｑを軸Ｎの端に取り付け、ペットが後肢の間で臀部用のペット用歩行補助車に跨いで乗り、ベルトＶを用いて座Ｂにペットの臀部を固定した、以上のことを特徴とする臀部用のペット用歩行補助車。
【請求項３】
犬猫等のペットの胸部、腹部及び臀部が同時に乗れるペット用歩行補助車で、前記請求項１記載の胸部用のペット用歩行補助車と前記請求項２記載の臀部用のペット用歩行補助車とを桁Ｒを用いて繋いで固定し、前記請求項１記載の胸部用のペット用歩行補助車と前記請求項２記載の臀部用のペット用歩行補助車との距離を調整して桁Ｒの面上に取り付けができるように、桁Ｒに距離調整用穴Ｔを複数組開け、前記請求項１記載の胸部用のペット用歩行補助車の座Ａの穴Ｄと桁Ｒの距離調整用穴Ｔを合わせてボルト等を使用して固定し、桁Ｒに穴Ｕを一組開け、前記請求項２記載の臀部用のペット用歩行補助車の座Ｂの穴Ｇと桁Ｒの穴Ｕを合わせてボルト等を使用して固定し、桁Ｒの前記請求項２記載の臀部用のペット用歩行補助車を取り付ける側に犬猫等のペットが排尿するための溝Ｓを開け、前記請求項１記載の胸部用のペット用歩行補助車とペットの胸部をベルトＶで固定し、前記請求項２記載の臀部用のペット用歩行補助車とペットの臀部をベルトＶで固定し、ペットの胸部、腹部及び臀部が同時に乗れるペット用歩行補助車とした、以上のことを特徴とするペット用歩行補助車。
【発明の詳細な説明】
【０００１】
【発明の属する技術分野】
犬猫等のペットを乗せるペット用歩行補助車の技術。
【０００２】
【従来の技術】
犬猫等のペットがペット用歩行補助車に乗って歩行したときに、ペット用歩行補助車の車輪がペットの前肢の間又は後肢の間に無いので、ペット用歩行補助車を傾けてカーブを曲がることができず、ペット自身でペット用歩行補助車の進行方向を変えるのが非常に大変で、ペット用歩行補助車の操作性能が極めて悪い。
【０００３】
【発明が解決しようとする課題】
ペット自身でペット用歩行補助車の進行方向が簡単に変えられる、操作性能が良いペット用歩行補助車を造る。
【０００４】
【課題を解決するための手段】
犬猫等のペット用歩行補助車で、犬猫等のペットの胸部又は臀部を乗せる座を造り、座にベルトを固定するための穴を開け、座の下側に柱を取り付けて固定し、柱に軸を取り付けて固定し、軸に車輪を取り付け、ペットが前肢の間で胸部用のペット用歩行補助車に跨いで乗り、又はペットが後肢の間で臀部用のペット用歩行補助車に跨いで乗り、ペット用歩行補助車の座の穴にペットを固定するベルトを取り付け、ベルトでペット用歩行補助車の座とペットを固定し、ペット用歩行補助車を傾けてペットが速く走ってカーブを曲がれるようにした、以上のことを特徴とするペット用歩行補助車。
【０００５】
【発明の実施の形態】
発明の実施の形態を実施例にもとづき図面を参照にして説明する。
犬猫等のペット用歩行補助車のうち胸部用のペット用歩行補助車で、図１において、犬猫等のペットの胸部を乗せる座Ａを造り、座ＡにベルトＶを固定するための穴Ｃを開け、座Ａに桁Ｒを固定するための穴Ｄを開ける。
【０００６】
図２において、座Ａの下側に柱Ｋを取り付け、柱Ｋを上下に分割し、分割した上下の柱Ｋを座Ａの車輪Ｐからの衝撃を少なくするためのスプリングＬで繋いで固定し、座Ａの高さを調整するための複数個の穴Ｍを柱Ｋに開け、軸Ｎに穴を開け、軸Ｎの穴と柱Ｋの穴Ｍとでボルトとナットを使用して固定し、軸Ｎに一個の車輪Ｐを取り付け、又は軸Ｎに二個の車輪Ｐを取り付け、軸Ｎに取り付けた車輪Ｐが二個の時には、二個の車輪Ｐの間をわずかに上開きにしてキャンバーとして、ペット用歩行補助車の操作を良くし、軸Ｎから車輪Ｐが外れないように留め具Ｑを軸Ｎの端に取り付けた、以上のことを特徴とする胸部用のペット用歩行補助車である。
【０００７】
犬猫等のペット用歩行補助車のうち臀部用のペット用歩行補助車で、図３において、犬猫等のペットの臀部を乗せる座Ｂを造り、座ＢにベルトＶを固定するための穴Ｆを開け、座Ｂに桁Ｒを固定するための穴Ｇを開け、犬猫等のペットが排尿するための溝Ｈを座Ｂに開け、座Ｂの下側にカバーＪを取り付けた。
【０００８】
図４において、座Ｂの下側に柱Ｋを取り付け、又はカバーＪの下側に柱Ｋを取り付け、柱Ｋを上下に分割し、分割した上下の柱Ｋを座Ｂの車輪Ｐからの衝撃を少なくするためのスプリングＬで繋いで固定し、座Ｂの高さを調整するための複数個の穴Ｍを柱Ｋに開け、軸Ｎに穴を開け、軸Ｎの穴と柱Ｋの穴Ｍとでボルトとナットを使用して固定し、軸Ｎに一個の車輪Ｐを取り付け、又は軸Ｎに二個の車輪Ｐを取り付け、軸Ｎに取り付けた車輪Ｐが二個の時には、二個の車輪Ｐの間をわずかに上開きにしてキャンバーとして、ペット用歩行補助車の操作を良くし、軸Ｎから車輪Ｐが外れないように留め具Ｑを軸Ｎの端に取り付けた、以上のことを特徴とする臀部用のペット用歩行補助車である。
【０００９】
図５において、前記の胸部用のペット用歩行補助車と前記の臀部用のペット用歩行補助車とを繋ぐ桁Ｒを造り、桁Ｒに前記の胸部用のペット用歩行補助車を固定するための距離調整用穴Ｔを複数組開け、複数組の距離調整用穴Ｔを利用して前記の胸部用のペット用歩行補助車と前記の臀部用のペット用歩行補助車の距離を調整し、桁Ｒに前記の臀部用のペット用歩行補助車を固定するための穴Ｕを一組開け、桁Ｒの臀部側に犬猫等のペットが排尿するための溝Ｓを開けた。
【００１０】
図６において、ペット用歩行補助車に乗せるペットの胸部、腹部及び臀部の長さに合わせて、前記の胸部用のペット用歩行補助車と前記の臀部用のペット用歩行補助車を桁Ｒに取り付け、その場合、距離調整用穴Ｔを利用して前記の胸部用のペット用歩行補助車と前記の臀部用のペット用歩行補助車の距離を調整して、座Ａの穴Ｄと桁Ｒの距離調整用穴Ｔを合わせボルト等を使用して固定し、座Ｂの穴Ｇと桁Ｒの穴Ｕを合わせボルト等を使用して固定し、ペットの胸部、腹部及び臀部が同時に乗れる、以上のことを特徴とするペット用歩行補助車である。
【００１１】
図７において、前記の胸部用のペット用歩行補助車と前記の臀部用のペット用歩行補助車を桁Ｒで繋いで固定し、ペットの胸部、腹部及び臀部が同時に乗れるペット用歩行補助車とし、そのペット用歩行補助車の上に犬猫等のペットＸを載せ、前記の胸部用のペット用歩行補助車の座Ａの穴ＣにベルトＶを取り付け、前記の胸部用のペット用歩行補助車とペットＸの胸部をベルトＶで固定し、前記の臀部用のペット用歩行補助車の座Ｂの穴ＦにベルトＶを取り付け、前記の臀部用のペット用歩行補助車とペットＸの臀部をベルトＶで固定し、ペットＸの胸部、腹部及び臀部が同時に乗れるペット用歩行補助車とし、ベルトＶにリードを取り付けるための輪Ｗを取り付けた、ペット用歩行補助車である。
【００１２】
図８において、前記の胸部用のペット用歩行補助車の座Ａの上にペットＸの胸部を乗せ、ペットＸが前肢の間で前記の胸部用のペット用歩行補助車に跨いで乗り、前記の臀部用のペット用歩行補助車の座Ｂの上にペットＸの臀部を乗せ、ペットＸが後肢の間で前記の臀部用のペット用歩行補助車に跨いで乗る、ペット用歩行補助車である。
【００１３】
【実施例】
発明の実施例を図面を参照にして説明する。
犬猫等のペット用歩行補助車のうち胸部用のペット用歩行補助車で、図１において、長方形の板を湾曲させて犬猫等のペットの胸部を乗せる座Ａを金属又は高分子化合物で造り、ペットの左右の前肢が前後左右に運動しやすいように座Ａの両脇Ｅの中央を円弧に切り取り、座Ａの四隅にベルトＶを固定するための穴Ｃを開け、座Ａに桁Ｒを固定するための穴Ｄを開ける。
【００１４】
図２において、座Ａの下側に金属で造った柱Ｋを取り付け、柱Ｋを上下に分割し、分割した上下の柱Ｋを金属で造ったスプリングＬで繋いで固定し、座Ａの高さを調整するための複数個の穴Ｍを柱Ｋに開け、金属で造った軸Ｎに穴を開けて、軸Ｎの穴と柱Ｋの穴Ｍとで金属で造ったボルトとナットを使用して固定し、軸Ｎに一個のゴム製のタイヤ付きの金属で造った車輪Ｐを取り付け、又は軸Ｎに二個の車輪Ｐを取り付け、軸Ｎに取り付けた車輪Ｐが二個の時には、二個の車輪Ｐの間をわずかに上開きにしてキャンバーとして、ペット用歩行補助車の操作を良くし、軸Ｎから車輪Ｐが外れないように金属で造った留め具Ｑを軸Ｎの端に取り付けた、以上のことを特徴とする胸部用のペット用歩行補助車である。
【００１５】
犬猫等のペット用歩行補助車のうち臀部用のペット用歩行補助車で、図３において、長方形の板を湾曲させて犬猫等のペットの臀部を乗せる座Ｂを金属又は高分子化合物で造り、ペットの左右の後肢が前後左右に運動しやすいように座Ｂの両脇Ｅの中央を円弧に切り取り、座Ｂの四隅にベルトＶを固定するための穴Ｆを開け、座Ｂに桁Ｒを固定するための穴Ｇを開け、犬猫等のペットが排尿するための溝Ｈを座Ｂに開け、座Ｂに開けた溝Ｈに金属又は高分子化合物で造ったカバーＪを取り付け、カバーＪは座Ｂの下側に取り付けた。
【００１６】
図４において、座Ｂの下側に金属で造った柱Ｋを取り付け、又はカバーＪの下側に柱Ｋを取り付け、柱Ｋを上下に分割し、分割した上下の柱Ｋを座Ｂの金属で造ったスプリングＬで繋いで固定し、座Ｂの高さを調整するための複数個の穴Ｍを柱Ｋに開け、金属で造った軸Ｎに穴を開けて、軸Ｎの穴と柱Ｋの穴Ｍとで金属で造ったボルトとナットを使用して固定し、軸Ｎに一個のゴム製のタイヤ付きの金属で造った車輪Ｐを取り付け、又は軸Ｎに二個の車輪Ｐを取り付け、軸Ｎに取り付けた車輪Ｐが二個の時には、二個の車輪Ｐの間をわずかに上開きにしてキャンバーとして、ペット用歩行補助車の操作を良くし、軸Ｎから車輪Ｐが外れないように金属で造った留め具Ｑを軸Ｎの端に取り付けた、以上のことを特徴とする臀部用のペット用歩行補助車である。
【００１７】
図５において、前記の胸部用のペット用歩行補助車と前記の臀部用のペット用歩行補助車を繋ぐ桁Ｒを金属又は高分子化合物で造り、前記の胸部用のペット用歩行補助車と前記の臀部用のペット用歩行補助車の距離を調整するため、桁Ｒに前記の胸部用のペット用歩行補助車と前記の臀部用のペット用歩行補助車の距離を調整して固定するための距離調整用穴Ｔを複数組開け、桁Ｒに前記の臀部用のペット用歩行補助車を固定するための穴Ｕを一組開け、桁Ｒの臀部側に犬猫等のペットが排尿するための溝Ｓを開けた。
【００１８】
図６において、前記の胸部用のペット用歩行補助車と前記の臀部用のペット用歩行補助車の距離を距離調整用穴Ｔを用いて調整して桁Ｒで繋ぎ、座Ａの穴Ｄと桁Ｒの距離調整用穴Ｔを合わせ金属で造ったボルトとナットを使用して固定し、座Ｂの穴Ｇと桁Ｒの穴Ｕを合わせ金属で造ったボルトとナットを使用して固定し、ペットの胸部、腹部及び臀部が同時に乗れる、以上のことを特徴とするペット用歩行補助車である。
【００１９】
図７において、前記の胸部用のペット用歩行補助車と前記の臀部用のペット用歩行補助車を桁Ｒで繋いで、ペットＸの胸部、腹部及び臀部が同時に乗れるペット用歩行補助車とし、前記の胸部用のペット用歩行補助車の座Ａの穴Ｃに合成繊維で造ったベルトＶを取り付け、前記の胸部用のペット用歩行補助車と犬猫等のペットＸの胸部をベルトＶで固定し、前記の臀部用のペット用歩行補助車の座Ｂの穴ＦにベルトＶを取り付け、前記の臀部用のペット用歩行補助車と犬猫等のペットＸの臀部をベルトＶで固定し、ペットＸの胸部、腹部及び臀部が同時に乗れるペット用歩行補助車とし、ベルトＶにリードを取り付けるための金属で造った輪Ｗを取り付けた、ペット用歩行補助車である。
【００２０】
図８において、前記の胸部用のペット用歩行補助車の座Ａの上にペットＸの胸部を乗せ、ペットＸが前肢の間で前記の胸部用のペット用歩行補助車に跨いで乗り、前記の臀部用のペット用歩行補助車の座Ｂの上にペットＸの臀部を乗せ、ペットＸが後肢の間で前記の臀部用のペット用歩行補助車に跨いで乗る、ペット用歩行補助車である。
【００２１】
【発明の効果】
ペット自身でペット用歩行補助車の進行方向が簡単に変えられる、操作性能の良いペット用歩行補助車ができる。
【図面の簡単な説明】
【図１】実施例の胸部用のペット用歩行補助車の座。
【図２】実施例の胸部用のペット用歩行補助車。
【図３】実施例の臀部用のペット用歩行補助車の座。
【図４】実施例の臀部用のペット用歩行補助車。
【図５】実施例の胸部用のペット用歩行補助車と臀部用のペット用歩行補助車を繋ぐ桁。
【図６】実施例の胸部用のペット用歩行補助車と臀部用のペット用歩行補助車を桁で繋いだ、ペットの胸部、腹部及び臀部を同時に乗せるペット用歩行補助車。
【図７】実施例の胸部用のペット用歩行補助車と臀部用のペット用歩行補助車を桁で繋いだペット用歩行補助車にペットを乗せて、ペットをベルトで固定した。
【図８】実施例の胸部用のペット用歩行補助車にペットの胸部を乗せた図。及び、実施例の臀部用のペット用歩行補助車にペットの臀部を乗せた図。
【符号の説明】
Ａ：胸部を乗せる座、  Ｂ：臀部を乗せる座、  Ｃ：ベルトＶを固定するための穴、  Ｄ：桁Ｒを固定するための穴、  Ｅ：切り取った座の両脇、  Ｆ：ベルトＶを固定するための穴、  Ｇ：桁Ｒを固定するための穴、  Ｈ：ペットが排尿するための溝、  Ｊ：カバー、  Ｋ：柱、  Ｌ：スプリング、  Ｍ：柱Ｋの穴、Ｎ：車輪Ｐを取り付ける軸、  Ｐ：車輪、  Ｑ：留め具、  Ｒ：桁、  Ｓ：ペットが排尿するための溝、  Ｔ：距離調整用穴、  Ｕ：穴、  Ｖ：ペットを固定するためのベルト、  Ｗ：ベルトＶに取り付けたリード用の輪、  Ｘ：ペット、Ｘ−ａ：ペットＸの前肢、  Ｘ−ｂ：ペットＸの後肢、  Ｘ−ｃ：ペットＸの雄の排尿器官、  Ｘ−ｄ：ペットＸの胸部又は臀部、
【図１】
2004208669.tif 000003
【図２】
2004208669.tif 000004
【図３】
2004208669.tif 000005
【図４】
2004208669.tif 000006
【図５】
2004208669.tif 000007
【図６】
2004208669.tif 000008
【図７】
2004208669.tif 000009
【図８】
2004208669.tif 000010